(57)【要約】【課題】フレキシブルケーブルを容易に接続することができるインターホン機器を提供する。【解決手段】液晶表示装置５を保持する保持ケース１３の後面に、制御基板１１を固定した。また、制御基板１１の下縁に、コネクタを内蔵したハウジング２０を、差込部２１が下方を向く状態で搭載した。さらに、ハウジング２０の下方に隣接した位置に、保持ケース１３の後面を一段後方へ突出させてなる載置台１４を設けた。加えて、載置台１４の表面とハウジング２０における差込部２１との前後方向での高さ位置を同じとした。そして、フレキシブルケーブル１２の接続する側の端部を載置台１４上に載置した後、そのままハウジング２０側へスライドさせれば、フレキシブルケーブル１２をハウジング２０に接続することができるようにした。【選択図】図４
2019169799.tif 000002
【特許請求の範囲】
【請求項１】
本体ケースに、液晶表示装置、前記液晶表示装置が接続される基板、前記液晶表示装置と前記基板とを接続するためのフレキシブルケーブル、及び前記基板上に搭載され、前記フレキシブルケーブルが接続される接続部を有するハウジングが内蔵されており、前記本体ケースの前面に前記液晶表示装置の表示画面が露出しているインターホン機器であって、
前記液晶表示装置が、後面を覆われた状態で保持部材に保持され、前記保持部材の後面に前記基板が固定されているとともに、前記ハウジングが、前記接続部を前記基板の外側へ向けた状態で前記基板の後面周縁部に搭載されている一方、
前記保持部材の後面における前記基板よりも外側で、且つ、前記ハウジングに隣接する位置に、後方へ突出する段部が設けられているとともに、当該段部の後面と前記ハウジングにおける前記接続部とが前後方向で同じ高さ位置とされていることを特徴とするインターホン機器。
【発明の詳細な説明】
【技術分野】
【０００１】
本発明は、たとえばインターホン親機等のインターホン機器に関するものである。
【背景技術】
【０００２】
従来、一般的なインターホン機器には、他の機器との通信動作（通話動作や映像の送受信に係る動作）を制御する制御基板が内蔵されている（たとえば特許文献１）。また、そのような制御基板と液晶表示装置等の各種装置との接続には、フレキシブルケーブルが採用されることも多い。その際、フレキシブルケーブルの制御基板側の端部を接続すべく、制御基板に、フレキシブルケーブルを接続可能なコネクタを内蔵したハウジングを搭載することがある。
【先行技術文献】
【特許文献】
【０００３】
【特許文献１】特開２００４−７０６１号公報
【発明の概要】
【発明が解決しようとする課題】
【０００４】
しかしながら、フレキシブルケーブルとハウジング内のコネクタとの接続作業は、ハウジングにおけるフレキシブルケーブルの接続位置が、制御基板の表面から前後方向（制御基板の表面に直交する方向）に突出した位置であることが多い、フレキシブルケーブルが非常に撓みやすい等の理由により、煩わしいという問題があった。
【０００５】
そこで、本発明は、上記要望に鑑みなされたものであって、フレキシブルケーブルを容易に接続することができるインターホン機器を提供しようとするものである。
【課題を解決するための手段】
【０００６】
上記目的を達成するために、本発明は、本体ケースに、液晶表示装置、液晶表示装置が接続される基板、液晶表示装置と基板とを接続するためのフレキシブルケーブル、及び基板上に搭載され、フレキシブルケーブルが接続される接続部を有するハウジングが内蔵されており、本体ケースの前面に液晶表示装置の表示画面が露出しているインターホン機器であって、液晶表示装置が、後面を覆われた状態で保持部材に保持され、保持部材の後面に基板が固定されているとともに、ハウジングが、接続部を基板の外側へ向けた状態で基板の後面周縁部に搭載されている一方、保持部材の後面における基板よりも外側で、且つ、ハウジングに隣接する位置に、後方へ突出する段部が設けられているとともに、当該段部の後面とハウジングにおける接続部とが前後方向で同じ高さ位置とされていることを特徴とする。
【発明の効果】
【０００７】
本発明によれば、液晶表示装置を保持する保持部材の後面に基板が固定され、当該基板の後面周縁部に、接続部を基板の外側へ向けた状態でハウジングが搭載されているとともに、保持部材の後面における基板よりも外側で、且つ、ハウジングに隣接する位置に、後方へ突出する段部が設けられている。そして、当該段部の後面とハウジングにおける接続部とが前後方向で同じ高さ位置とされている。そのため、ハウジングにフレキシブルケーブルを接続するに際しては、まずフレキシブルケーブルの接続する側の端部を段部上に載置した後、そのまま端部をハウジング側へスライドさせれば、フレキシブルケーブルをハウジングに接続することができる。したがって、従来よりもフレキシブルケーブルを容易にハウジングに接続することができる。
【図面の簡単な説明】
【０００８】
【図１】インターホン親機を前面側から示した説明図である。
【図２】制御基板が固定された保持ケースを後面側から示した斜視説明図である。
【図３】図２の状態からフレキシブルケーブルを省いた状態を示した斜視説明図である。
【図４】インターホン親機におけるハウジング部分の垂直断面を示した説明図である。
【発明を実施するための形態】
【０００９】
以下、本発明の一実施形態となるインターホン親機について、図面にもとづき詳細に説明する。
【００１０】
図１は、インターホン親機１を前面側から示した説明図である。図２は、制御基板１１が固定された保持ケース１３を後面側から示した斜視説明図である。図３は、図２の状態からフレキシブルケーブル１２を省いた状態を示した斜視説明図である。図４は、インターホン親機１におけるハウジング２０部分の垂直断面を示した説明図である。なお、図４では後ケースを省略している。
【００１１】
インターホン親機１は、前側に配置される前ケース２及び後側に配置される後ケース（図示せず）を組み付け、さらに前ケース２の前面を覆うように化粧パネル８を取り付けてなる本体ケースを備えてなり、本体ケース前面の略中央には、インターホン子機（図示せず）で撮像された映像等を表示するための表示画面１０が露出している。また、本体ケース前面の中央下部には、インターホン子機からの呼び出しに応答するためのボタン９が設けられている。さらに、本体ケース前面の下部でボタン９の左右両側には、マイク部６やスピーカ部７等の通話部が設けられている。加えて、本体ケース内には、インターホン子機との通信動作等といったインターホン親機１の主たる動作を制御する制御基板１１、及び表示画面１０を有する液晶表示装置５が内蔵されており、両者はフレキシブルケーブル１２を介して電気的に接続されている。
【００１２】
ここで、本発明の要部となる制御基板１１へのフレキシブルケーブル１２の接続に係る構造について説明する。
本体ケース内において、液晶表示装置５は、その後面を覆うように組み付けられる保持ケース１３に保持されている。そして、制御基板１１は、保持ケース１３の後面に固定されている。また、制御基板１１の下縁（後面の周縁部）には、フレキシブルケーブル１２を接続可能なコネクタを内蔵したハウジング２０が搭載されている。ハウジング２０は、直方体のボックス状に成形されており、下面にフレキシブルケーブル１２を差込可能な差込部２１が設けられている（すなわち、ハウジング２０は、差込部２１を制御基板１１の外側へ向けた状態で搭載されていると言える）。
【００１３】
さらに、ハウジング２０の下方に隣接した位置に、フレキシブルケーブル１２の接続作業時等に利用する載置台１４が設けられている。載置台１４は、保持ケース１３の後面を一段後方へ突出させて成形されており、その表面（後面）は略平坦面とされている。また、載置台１４の後方への突出高さは、載置台１４の表面とハウジング２０における差込部２１との前後方向での高さが略同じとなる（すなわち、載置台１４の表面とハウジング２０における差込部２１とが略同じ鉛直面上に位置する）ようになっている。そして、上記載置台１４を利用してフレキシブルケーブル１２をハウジング２０に接続する作業について説明すると、まずフレキシブルケーブル１２の端部を載置台１４に載置した後、そのまま端部を上方へスライドさせて差込部２１へ差し込めばよい。
【００１４】
以上のような構成を有するインターホン親機１によれば、液晶表示装置５を保持する保持ケース１３の後面に、制御基板１１を固定している。また、制御基板１１の下縁に、コネクタを内蔵したハウジング２０を、差込部２１が下方を向く状態で搭載している。さらに、ハウジング２０の下方に隣接した位置（保持ケース１３の後面における制御基板１１よりも外側で、且つ、ハウジング２０に隣接する位置）に、保持ケース１３の後面を一段後方へ突出させてなる載置台１４を設けている。加えて、載置台１４の表面とハウジング２０における差込部２１との前後方向での高さ位置を同じとしている。そのため、ハウジング２０にフレキシブルケーブル１２を接続するに際しては、まずフレキシブルケーブル１２の接続する側の端部を載置台１４上に載置した後、そのままハウジング２０側へスライドさせれば、フレキシブルケーブル１２をハウジング２０に接続することができる。したがって、従来よりもフレキシブルケーブル１２を容易にハウジング２０に接続することができる。
【００１５】
なお、本発明に係るインターホン機器は、インターホン機器の全体的な構成は勿論、ハウジングそのものやフレキシブルケーブルのハウジングへの接続に係る構成等についても、本発明の趣旨を逸脱しない範囲で必要に応じて適宜変更することができる。
【００１６】
たとえば、上記実施形態では、基板の下縁にハウジングを搭載しているが、上縁や左右側縁であってもよく、ハウジングの位置に応じて段部の位置も適宜設計変更可能である。
また、上記実施形態では、フレキシブルケーブルを差込部に差し込むタイプのハウジングを採用しているが、ハウジング側に起立／傾倒可能な挟持部材を設け、当該挟持部材を起立させた状態でフレキシブルケーブルの接続側の端部を所定の位置に位置させた後、挟持部材を傾倒させることにより、フレキシブルケーブルを挟み込み接続させるようなハウジングを採用することも可能である。
さらに、上記実施形態ではインターホン親機について説明しているが、本発明は、集合住宅で利用するインターホン機器等の他のインターホン機器に対しても好適に採用することができる。
【符号の説明】
【００１７】
１・・インターホン親機（インターホン機器）、２・・前ケース（本体ケース）、５・・液晶表示装置、８・・化粧パネル（本体ケース）、１１・・制御基板（基板）、１２・・フレキシブルケーブル、１３・・保持ケース（保持部材）、１４・・載置台（段部）、２０・・ハウジング、２１・・差込部（接続部）。
【図１】
2019169799.tif 000003
【図２】
2019169799.tif 000004
【図３】
2019169799.tif 000005
【図４】
2019169799.tif 000006